(57)【特許請求の範囲】
【請求項１】
直流電源から互いに異なる安定化された直流出力を生成する絶縁型スイッチング電源装置の出力電圧と、予め設定された設定電圧との誤差を増幅して出力する誤差増幅器と、
前記誤差増幅器の出力信号を絶縁し制御回路へフィードバック信号として伝達する信号伝達器と、
前記制御回路に電源を供給する制御電源とを備え、
前記制御回路は、
前記フィードバック信号に応じて主スイッチ素子のオン・オフを制御する制御部と、
前記制御部の出力を受けて前記主スイッチ素子を駆動する駆動部と、
前記フィードバック信号と第１の基準電圧値とを比較する第１の比較部と、
前記フィードバック信号と第２の基準電圧値とを比較する第２の比較部と、
前記制御電源から動作電源を供給され、前記制御部内の少なくとも一部に動作電源を供給する電源部とからなり、
前記第２の基準電圧値は前記第１の基準電圧値より低い電圧値に設定され、前記フィードバック信号が前記第１の基準電圧値を下回ったことを前記第１の比較部で検出したときは、前記駆動部は出力を停止し、前記フィードバック信号が前記第２の基準電圧値を下回ったことを前記第２の比較部で検出したときは、前記電源部は動作電源の出力を停止することを特徴とするスイッチング電源装置。
【請求項２】
直流電源から互いに異なる安定化された直流出力を生成する非絶縁型スイッチング電源装置の出力電圧と、予め設定された設定電圧との誤差を増幅し制御回路へフィードバック信号として出力する誤差増幅器と、
前記制御回路に電源を供給する制御電源とを備え、
前記制御回路は、
前記フィードバック信号に応じて主スイッチ素子のオン・オフを制御する制御部と、
前記制御部の出力を受けて前記主スイッチ素子を駆動する駆動部と、
前記フィードバック信号と第１の基準電圧値とを比較する第１の比較部と、
前記フィードバック信号と第２の基準電圧値とを比較する第２の比較部と、
前記制御電源から動作電源を供給され、前記制御部内の少なくとも一部に動作電源を供給する電源部とからなり、
前記第２の基準電圧値は前記第１の基準電圧値より低い電圧値に設定され、前記フィードバック信号が前記第１の基準電圧値を下回ったことを前記第１の比較部で検出したときは、前記駆動部は出力を停止し、前記フィードバック信号が前記第２の基準電圧値を下回ったことを前記第２の比較部で検出したときは、前記電源部は動作電源の出力を停止することを特徴とするスイッチング電源装置。
【請求項３】
前記信号伝達器に動作電源を供給する別の電源部を設けることを特徴とする請求項１に記載のスイッチング電源装置。
【請求項４】
前記第１の比較部の動作電源を、前記電源部より供給することを特徴とする請求項１または２に記載のスイッチング電源装置。
【請求項５】
前記制御部はソフトスタート制御回路を備え、このソフトスタート制御回路は前記制御電源から動作電源を供給され、前記直流電源の投入時にのみ、ソフトスタート制御回路を動作させることを特徴とする請求項１または２に記載のスイッチング電源装置。
【発明の詳細な説明】
【技術分野】
【０００１】
この発明は、軽負荷時には間欠動作を行ない、スイッチング停止期間には制御回路を停止させ、消費電力を低減させるようにしたスイッチング電源装置に関する。
【背景技術】
【０００２】
スイッチング電源装置は高効率，低ノイズ，小形，低コスト，高信頼性が要求され、これらを実現するため様々な回路方式が提案されている。
【０００３】
図７はこの種のスイッチング電源装置の例であり、例えば、特許文献１の図４に記載されているスイッチング電源装置と同等のものである。
【０００４】
電源装置１は入力電源２から異なる直流出力を生成して負荷３に供給するもので、いわゆる絶縁型ＤＣ−ＤＣコンバータと呼ばれる電源装置である。
【０００５】
入力電源２のプラス側端子は、トランス１２１の1次巻線Ｎｐ１の一端と接続され、1次巻線Ｎｐ１の他端はＭＯＳＦＥＴ１１０のドレインと接続され、ＭＯＳＦＥＴ１１０のソースは入力電源のマイナス側端子と接続される。また、トランス１２１の２次巻線Ｎｓはその両端を２次側主回路１２２の入力と接続され、２次側主回路１２２の出力は負荷３および誤差増幅器１２３に接続される。
【０００６】
誤差増幅器１２３は内部に予め設定された設定電圧を生成する回路を備えており、２次側主回路１２２の出力電圧（以下、単に出力電圧という）と設定電圧との誤差を増幅し、フィードバック信号として出力する。
【０００７】
電源装置１では信号伝達器としてフォトカプラ１０８を用いており、誤差増幅器１２３で出力されたフィードバック信号はフォトカプラ１０８で絶縁され、フィードバック信号Ｖｆｂとしてパルス幅制御回路（ＰＷＭ制御回路）１０２に伝達される。
【０００８】
また、ＰＷＭ制御回路１０２は内部にソフトスタート制御回路１１２を備えており、ＰＷＭ制御回路１０２に動作電源が供給されるとソフトスタート制御が行なわれる。
【０００９】
また、ＰＷＭ制御回路１０２はフィードバック信号Ｖｆｂをもとに、ＭＯＳＦＥＴ１１０を駆動するゲートパルス幅を決定し、ゲートパルス信号を駆動回路１０１に送る。駆動回路１０１はＰＷＭ制御回路１０２から送られるゲートパルス信号を受け、ＭＯＳＦＥＴ１１０のゲートにゲートパルスを供給し、ＭＯＳＦＥＴ１１０を駆動する。
【００１０】
また、電源装置１は第１の比較回路１０５と、第１の基準電圧値（以下、バーストしきい値ともいう）Ｖｔｈ１を出力する第１の基準電圧源１０６を備えており、第１の比較回路１０５はフィードバック信号Ｖｆｂとバーストしきい値Ｖｔｈ１とを比較し、比較結果をＰＷＭ制御回路１０２と第１の電源回路１０３に伝達する。フィードバック信号Ｖｆｂがバーストしきい値Ｖｔｈ１を下回ると、ＰＷＭ制御回路１０２から駆動回路１０１へゲートパルス信号を送る、スイッチング動作を停止し、第１の電源回路１０３はＰＷＭ制御回路１０２への動作電源供給を停止する。
【００１１】
ここで、図７の軽負荷時の動作について、図８を参照して説明する。
【００１２】
図８において、Ｖｆｂは誤差増幅器１２３からＰＷＭ制御回路１０２へ送られるフィードバック信号電圧、Ｖｒｅｆは第１の電源回路１０３からＰＷＭ制御回路１０２へ送られる動作電源電圧、Ｖｇｓは駆動回路１０１からＭＯＳＦＥＴ１１０のゲートにおくられるゲートパルス、をそれぞれ示している。
【００１３】
軽負荷時において、フィードバック信号Ｖｆｂがバーストしきい値Ｖｔｈ１を上回る期間Ｔ１には、第１の電源回路１０３からＰＷＭ制御回路１０２へ動作電源を供給することで、ＰＷＭ制御回路１０２はスイッチング動作を行ない、フィードバック信号Ｖｆｂがバーストしきい値Ｖｔｈ１を下回る期間Ｔ２には、ＰＷＭ制御回路１０２はスイッチング動作を停止するので、第１の電源回路１０３からＰＷＭ制御回路１０２へ動作電源供給も停止する。
【００１４】
以上のように、軽負荷時に電源装置１はバースト動作を行ない、スイッチング動作を停止している期間には、第１の電源回路１０３からＰＷＭ制御回路１０２へ動作電源供給も停止させることで、電源装置全体の消費電力を大きく低減できるようにしている。
【特許文献１】特開２００５−００６３８６号公報（図４とその説明）
【発明の開示】
【発明が解決しようとする課題】
【００１５】
しかしながら、図７のＰＷＭ制御回路は動作電源を供給されても、すぐにスイッチング動作を再開（開始）することはできない。そのため、ＰＷＭ制御回路への動作電源供給が停止されている（以下、オフ状態ともいう）期間に、負荷電流が急増すると、ＰＷＭ制御回路がスイッチング動作を再開するまでの間に、出力電圧は落ち込んでしまう。さらに、ＰＷＭ制御回路がスイッチング動作を再開した後、出力電圧は後述する理由でリギングしてしまう。その結果、負荷に供給される電圧は大きく変動し、これが負荷内部のＩＣなどの電子部品に悪影響を及ぼし、誤動作させてしまうおそれがあった。
【００１６】
上記問題について、図９を参照して詳述する。図９は、ＰＷＭ制御回路がオフ状態である期間に、負荷電流Ｉｏが急激に増加した場合の動作説明図である。
【００１７】
図９において、負荷電流Ｉｏは２次側主回路１２２から負荷３へ流れる電流、Ｖｏは２次側主回路１２２の出力電圧を示す。また、Ｖｆｂは誤差増幅器１２３からＰＷＭ制御回路１０２へ送られるフィードバック信号電圧、Ｖｒｅｆは第１の電源回路１０３からＰＷＭ制御回路１０２へ送られる動作電源電圧、Ｖｇｓは駆動回路１０１からＭＯＳＦＥＴ１１０のゲートにおくられるゲートパルス、をそれぞれ示すのは図６の場合と同様である。
【００１８】
図９の時刻ｔ１において、負荷電流Ｉｏが増加すると出力電圧Ｖｏが減少を始め、出力電圧Ｖｏの減少に応じてフィードバック信号Ｖｆｂが増加し始める。時刻ｔ２でフィードバック信号Ｖｆｂがバーストしきい値Ｖｔｈ１を超えると、第１の電源回路１０３は動作電源をＰＷＭ制御回路１０２へ供給し始める。しかし、動作電源電圧Ｖｒｅｆはすぐには一定電圧に安定せず、この動作電源電圧Ｖｒｅｆの安定を待ってから、ＰＷＭ制御回路１０２は内部の論理回路を初期化し、ようやく時刻ｔ３においてＰＷＭ制御回路１０２はスイッチング動作を再開する（以下、動作電源供給開始から論理回路初期化までを再起動という）が、ＰＷＭ制御回路１０２はこの再起動の間に出力電圧Ｖｏは大きく落ち込んでしまう。
【００１９】
また、ＰＷＭ制御回路１０２内のソフトスタート回路１１２が、第１の電源回路１０３の出力する動作電源電圧Ｖｒｅｆに連動して動作する。すなわち動作電源電圧Ｖｅｒｆが立ち上がって、ＰＷＭ制御回路１０２がスイッチング動作を再開しても、しばらくの間は、ソフトスタート回路１０２によってゲートパルス幅を広げない制御がかかってしまうため、２次側に十分な電流が供給できず、出力電圧Ｖｏはさらに落ち込んでしまう。
【００２０】
さらに悪いことに、ＰＷＭ制御回路１０２のソフトスタート制御が終了すると、ＰＷＭ制御回路１０２は急いで出力電圧Ｖｏを設定値に戻そうとして、急激に出力電圧Ｖｏを上昇させる。この出力電圧Ｖｏの急激な上昇に対しフィードバック信号Ｖｆｂは遅延するため、出力電圧Ｖｏは設定電圧を超えてしまう（以下、オーバーシュートともいう）。
【００２１】
フィードバック信号Ｖｆｂは上記オーバーシュートに遅れて反応し、急激に減少することになるが、フィードバック信号Ｖｆｂがバーストしきい値Ｖｔｈ１より下がってしまうと、ＰＷＭ制御回路１０２はオフ状態となる（時刻ｔ４）。その後、出力電圧Ｖｏが減少してフィードバック信号Ｖｆｂが再びバーストしきい値Ｖｔｈ１を上回っても（時刻ｔ５）、
ＰＷＭ制御回路１０２が再起動を終了するまではスイッチング動作を再開できず、この再起動の期間に出力電圧Ｖｏはまた落ち込んでしまう。
【００２２】
その後、時刻ｔ６において、ＰＷＭ制御回路１０２がスイッチング動作を再開するが、再びソフトスタート制御がかかり、出力電圧Ｖｏはさらに落ち込む。ソフトスタート制御終了後、ＰＷＭ制御回路１０２は急いで出力電圧Ｖｏを設定値に戻そうとして、オーバーシュートさせてしまう（時刻ｔ７）。
【００２３】
以上の結果、出力電圧Ｖｏはオーバーシュートと落ち込みを繰り返し、次第に設定電圧値に落ち着くというリギングをすることになる。
【００２４】
この発明は上記の問題に鑑みてなされたもので、その課題は、軽負荷状態での消費電力を抑えながら、軽負荷状態から急激に負荷電流が増加した場合の、出力電圧の落ち込みを最小限に抑え、出力電圧のリギングを軽減することにある。
【課題を解決するための手段】
【００２５】
上記課題を解決するため、請求項１の発明では、直流電源から互いに異なる安定化された直流出力を生成する絶縁型スイッチング電源装置の出力電圧と、予め設定された設定電圧との誤差を増幅して出力する誤差増幅器と、
前記誤差増幅器の出力信号を絶縁し制御回路へフィードバック信号として伝達する信号伝達器と、
前記制御回路に電源を供給する制御電源とを備え、
前記制御回路は、
前記フィードバック信号に応じて主スイッチ素子のオン・オフを制御する制御部と、
前記制御部の出力を受けて前記主スイッチ素子を駆動する駆動部と、
前記フィードバック信号と第１の基準電圧値とを比較する第１の比較部と、
前記フィードバック信号と第２の基準電圧値とを比較する第２の比較部と、
前記制御電源から動作電源を供給され、前記制御部内の少なくとも一部に動作電源を供給する電源部とからなり、
前記第２の基準電圧値は前記第１の基準電圧値より低い電圧値に設定され、前記フィードバック信号が前記第１の基準電圧値を下回ったことを前記第１の比較部で検出したときは、前記駆動部は出力を停止し、前記フィードバック信号が前記第２の基準電圧値を下回ったことを前記第２の比較部で検出したときは、前記電源部は動作電源の出力を停止することを特徴とする。
【００２６】
請求項２の発明では、直流電源から互いに異なる安定化された直流出力を生成する非絶縁型スイッチング電源装置の出力電圧と、予め設定された設定電圧との誤差を増幅し制御回路へフィードバック信号として出力する誤差増幅器と、
前記制御回路に電源を供給する制御電源とを備え、
前記制御回路は、
前記フィードバック信号に応じて主スイッチ素子のオン・オフを制御する制御部と、
前記制御部の出力を受けて前記主スイッチ素子を駆動する駆動部と、
前記フィードバック信号と第１の基準電圧値とを比較する第１の比較部と、
前記フィードバック信号と第２の基準電圧値とを比較する第２の比較部と、
前記制御電源から動作電源を供給され、前記制御部内の少なくとも一部に動作電源を供給する電源部とからなり、
前記第２の基準電圧値は前記第１の基準電圧値より低い電圧値に設定され、前記フィードバック信号が前記第１の基準電圧値を下回ったことを前記第１の比較部で検出したときは、前記駆動部は出力を停止し、前記フィードバック信号が前記第２の基準電圧値を下回ったことを前記第２の比較部で検出したときは、前記電源部は動作電源の出力を停止することを特徴とする。
【００２７】
上記請求項１の発明においては、前記前記信号伝達器に動作電源を供給する別の電源部を設けることができる（請求項３の発明）。また、請求項１または２の発明においては、前記第１の比較部の動作電源を、前記電源部より供給することができ（請求項４の発明）、または、前記制御部はソフトスタート制御回路を備え、このソフトスタート制御回路は前記制御電源から動作電源を供給され、前記直流電源の投入時にのみ、ソフトスタート制御回路を動作させることができる（請求項５の発明）。
【発明の効果】
【００２８】
この発明によれば、スイッチング動作を停止する第１の基準電圧値と、ＰＷＭ制御回路への電力供給を停止する第２の基準電圧値とを別々に設定するとともに、第１の基準電圧値より第２の基準電圧値を低く設定することにより、ＰＷＭ制御回路がオフ状態にある期間において、負荷電流が急激に増加しても、ＰＷＭ制御回路は速やかにスイッチング動作を再開できるため、出力電圧の落ち込みを抑えることができる。さらに、負荷電流急増時に、従来の電源装置において発生していた出力電圧のリギングも軽減できる。
【発明を実施するための最良の形態】
【００２９】
図１にこの発明の実施形態を表わすスイッチング電源装置の構成例を示す。なお、図７と同じ構成要素には同一の符号を付し、その説明を省略する。
【００３０】
図１の電源装置は図７の電源装置に対し、第２の電源回路１０９と、第２の比較器１０４と、第２の基準電圧源１０７とを付加し、第１の比較器１０５から第１の電源回路１０３へ比較結果を伝達する経路を削除する代わりに、第２の比較器１０４から第１の電源回路１０３へ比較結果を伝達する経路を付加し、第２の電源回路１０９からフォトカプラ１０８に電流を供給するようにした点で相違する。
【００３１】
また、ＰＷＭ制御回路１０２内部でのソフトスタート制御回路１１２の動作電源は整流回路１１１から供給する構成とし、これによってＰＷＭ制御回路１０２がオフ状態になっても、ソフトスタート制御回路１１２には動作電源が供給されるため、ＰＷＭ制御回路１０２の再起動時に初期化する必要は無くなり、ＰＷＭ制御回路１０２の再起動後はソフトスタート制御は防止され、入力電源２の投入時にのみソフトスタート制御が行なわれる。
【００３２】
第１の比較器１０５は、第１の基準電圧源１０６から出力されるバーストしきい値Ｖｔｈ１とフィードバック信号Ｖｆｂとを比較し、その比較結果をＰＷＭ制御回路１０２に送る。ＰＷＭ制御回路１０２は、フィードバック信号Ｖｆｂがバーストしきい値Ｖｔｈ１を下回わると、スイッチング動作を停止する。
【００３３】
第２の比較器１０４は、第２の基準電圧源１０７から出力される第２の基準電圧値（以下、電源遮断しきい値ともいう）Ｖｔｈ２とフィードバック信号Ｖｆｂとを比較し、比較結果を第１の電源回路１０３に送る。第１の電源回路１０３は、フィードバック信号Ｖｆｂが電源遮断しきい値Ｖｔｈ２を下回わると、ＰＷＭ制御回路１０２への動作電源供給を停止し、ＰＷＭ制御回路１０２はオフ状態となる。
【００３４】
図１の軽負荷時の動作について、図２を参照して説明する。なお、図２の各信号の意味は図８と同様なので省略する。
【００３５】
いま、軽負荷時においてフィードバック信号Ｖｆｂが低下し、バーストしきい値Ｖｔｈ１を下回わると、ＰＷＭ制御回路１０２はスイッチング動作を停止する。しかし、この段階では第１の電源回路１０３からＰＷＭ制御回路１０２に、動作電源は供給され続けている。
【００３６】
さらに、フィードバック信号Ｖｆｂが減少し、フィードバック電圧が電源遮断しきい値Ｖｔｈ２より小さくなると、ＰＷＭ制御回路１０２はオフ状態となる。
【００３７】
その後、フィードバック電圧が上昇に転じ電源遮断しきい値Ｖｔｈ２を超えると、ＰＷＭ制御回路１０２は再起動し、さらにフィードバック電圧が上昇し、バーストしきい値Ｖｔｈ１を超えると、ＰＷＭ制御回路１０２はスイッチング動作を再開する。
【００３８】
次に、図１で軽負荷から急激に負荷電流が増加した場合の動作について、図３を参照して説明する。なお、図３の各信号（符号）の意味は図９と同様なので説明を省略する。
【００３９】
図３の時刻ｔ１において、負荷電流Ｉｏが増加すると出力電圧Ｖｏが減少を始めると、出力電圧Ｖｏの減少に応じてフィードバック信号Ｖｆｂが増加する。フィードバック信号Ｖｆｂが電源遮断しきい値Ｖｔｈ２を超えると（時刻ｔ２）、第１の電源回路１０３からＰＷＭ制御回路１０２へ動作電源が供給され、ＰＷＭ制御回路１０２は再起動を始める。
【００４０】
フィードバック信号Ｖｆｂはさらに増加し、時刻ｔ３においてフィードバック信号Ｖｆｂがバーストしきい値Ｖｔｈ１を超えると、ＰＷＭ制御回路１０２は既に再起動を終えているので、時刻ｔ３直後からＰＷＭ制御回路１０２はスイッチング動作を開始する。また、
ＰＷＭ制御回路１０２内部のソフトスタート制御は防止されるため、ＰＷＭ制御回路１０２はスイッチング動作を再開後、速やかにゲートパルス幅を広げることができる。
【００４１】
以上の動作によって、従来の場合よりも素早くスイッチング動作を再開し、これによりゲートパルス幅が広げられ、出力電圧Ｖｏの落ち込みを小さくすることができる。
【００４２】
加えて、時刻ｔ４において、出力電圧Ｖｏがオーバーシュートした場合、フィードバック信号Ｖｆｂがバーストしきい値Ｖｔｈ１を下回った時点でスイッチング動作は停止するが、フィードバック電圧Ｖｆｂは電源遮断しきい値Ｖｔｈ２まで達していないので、ＰＷＭ制御回路１０２はオフ状態とはならない。このため、出力電圧Ｖｏが低下し始めると、すぐにＰＷＭ制御回路１０２はスイッチング動作を再開して（時刻ｔ５）、出力電圧Ｖｏを設定値に安定させることができる。
【００４３】
以上の動作により、従来回路で発生していた出力電圧のリギングを軽減することができる。なお、図１で、ソフトスタート制御回路１１２の動作電源を整流回路１１１から供給しているが、第２の電源回路１０９から供給するようにしても良い。また、図１ではＰＷＭ制御回路１０２を用いたが、ＰＡＭ（パルス振幅）制御回路またはＰＦＭ（パルス周波数）制御回路を用いるようにしても良い。さらに、フォトカプラ１０８を第２の電源回路１０９で駆動するのは、以下の理由による。
【００４４】
例えば、フォトカプラ１０８の電源を整流回路１１１から供給すると、供給電圧の変動によってフィードバック電圧が変動し、出力電圧のリギングが悪化して本来の目的を果たせなくなる。すなわち、駆動パルスの出力を再開すると整流回路１１１の出力電圧が増加し、これに伴ってフィードバック電圧も増加する。その結果、ＰＷＭ制御回路１０２はさらにパルス幅を広げる動作をし、出力電圧をオーバーシュートさせてしまうおそれがあり、このオーバーシュートにより図９と同様のリギングをしてしまう。そこで、これを防ぐために、第２の電源回路１０９からフォトカプラ１０８に対し、定電圧を供給するようにしている。
【００４５】
図４にこの発明の別の実施の形態を示す。これも図１と同様の動作を非絶縁型スイッチング電源で実現するもので、図１と同じものには同じ符号を付してその説明は省略する。
【００４６】
すなわち、図４に示すものは図１に示すフォトカプラ１０８、第２の電源回路１０９、整流回路１１１、トランス１２１、２次側主回路１２２等を削除し、主回路としてダイオード２０１、インダクタ２０２、コンデンサ２０３を付加したもので、この電源装置４は非絶縁型ＤＣ−ＤＣコンバータを形成する。
【００４７】
なお、図４において、第２の比較器１０４、第１の電源回路１０３、駆動回路１０１の動作電源を入力電源２から供給するようにしているが、別に設けた電源から供給するようにしても良い。
【００４８】
以上のように、この発明によれば、軽負荷状態での消費電力を低減させつつ、軽負荷状態から負荷電流が急増した場合の出力電圧の変動を最小限に抑え、加えてリギングも軽減することができる。
【００４９】
この発明は図１，図４の例に限定されるものではなく、例えば第１の基準電源１０６や第２の基準電源１０７にヒステリシス特性を持たせても良いし、ＭＯＳＦＥＴ１１０はバイポーラトランジスタやＩＧＢＴ（絶縁型バイポーラトランジスタ）を用いても良い。さらに、直流電源２は交流電源を整流・平滑したものでも良く、整流回路１１１はシリーズレギュレータとしても良い。
【００５０】
上記第１，第２基準電源に対するヒステリシス特性としては、スイッチング停止状態から、フィードバック電圧が増加して第１の基準電圧を上回った時点でスイッチングを再開するので、第１の基準電圧を少し低下させることで、スイッチングがすぐには停止しないようにする。その後、スイッチング動作によって出力電圧が上昇すると、フィードバック電圧が低下し、少し低下した第１の基準電圧を下回るとスイッチングを停止する。スイッチングが停止すると、第１の基準電圧を少し上昇させ、スイッチングがすぐには開始しないようにする。
【００５１】
すなわち、フィードバック電圧が第１の基準電圧付近で小さく変動すると、スイッチングの停止・再開を短い周期で繰り返す発振動作を起すので、これを防止するため上記のようなヒステリシス特性を持たせるのである。これによりトランスから可聴音が発生するの防ぎ、バースト周期を広げて待機電力の低減を図ることができる。また、フィードバック電圧にはノイズが付きものなので、このノイズによる誤動作を防止する役目も兼ねている。
【００５２】
さらに、図１，４の第１の電源回路１０３を単なるスイッチ回路とし、これをフィードバック電圧が第２の基準電圧値Ｖｔｈ２を下回ったら、第２の比較回路１０４からの出力で開放し、上回ったら閉じるようにしても良い。また、直流電源２から動作に必要な各部電圧を直接得ることで、整流回路１１１を省略することもできる。
【００５３】
図５に図１の変形例を示す。
【００５４】
図示のように、図１から整流回路１１１を削除する代わりに別の直流電源１４１を追加し、これを制御電源として用いる例である。これにより、段落００２９で述べたような問題は発生しなくなり、第２の電源回路１０９を省略することができる。
【００５５】
また、直流電源２の電圧値が、制御電源として直接使用可能な電圧値である場合には、例えば図６のように、直流電源２を制御電源として直接供給する構成とすることにより、整流回路１１１および第２の電源回路１０９を省略することができる。
【図面の簡単な説明】
【００５６】
【図１】この発明の実施形態を示す回路構成図
【図２】図１の軽負荷時の動作説明図
【図３】図１で負荷電流が急増した場合の動作説明図
【図４】この発明の別の実施形態を示す回路構成図
【図５】図１の第１変形例を示す回路構成図
【図６】図１の第２変形例を示す回路構成図
【図７】電源装置の従来例を示す回路構成図
【図８】図７の軽負荷時の動作説明図
【図９】図７で負荷電流が急増した場合の動作説明図
【符号の説明】
【００５７】
１，４…電源装置、２，１４１…直流電源、１０１…駆動回路、１０２…ＰＷＭ制御回路、１０３…第１の電源回路、１０４…第１の比較器、１０５…第２の比較器、１０６…第１の基準電圧源、１０６…第２の基準電圧源、１０８…フォトカプラ、１０９…第２の電源回路、１１０…ＭＯＳＦＥＴ、１１１…整流回路、１１２…ソフトスタート制御回路、１２１…トランス、１２２…２次側主回路、１２３…誤差増幅器、２０１…ダイオード、２０２…インダクタ、２０３…コンデンサ。
【図１】
0005076993.tif 000002
【図２】
0005076993.tif 000003
【図３】
0005076993.tif 000004
【図４】
0005076993.tif 000005
【図５】
0005076993.tif 000006
【図６】
0005076993.tif 000007
【図７】
0005076993.tif 000008
【図８】
0005076993.tif 000009
【図９】
0005076993.tif 000010